(57)【要約】【課題】間接活線作業の段階に応じて使用する先端工具が変化しても、継続して使用可能な態様の検電装置を提供する。【解決手段】接続アダプタ１は、工具側被装着部２３０Ａを着脱自在に装着する先部側装着部２１０Ｂと、操作棒側装着部２１０Ａに対して着脱自在に装着される基部側被装着部２３０Ｂと、内部回路を介して先部側装着部と基部側装着部とを電気的に接続する検電部１０Ｂと、を備え、検電部は、先部側装着部を介して電気的に接続された電路Ｗと対地アースＥとの間に形成される浮遊静電容量により基部側装着部に向けて流れる静電誘導電流を検出する電流検出回路２２と、電流検出回路からの検知信号に基づいて被検電部材の充電状態を報知する報知手段２５と、を備えた。【選択図】図１
2018074708.tif 000002
【特許請求の範囲】
【請求項１】
絶縁操作棒と、前記絶縁操作棒の先端部に着脱自在に装着される先端工具と、の間に挿入される接続アダプタであって、
前記先端工具の基部側に配置された工具側被装着部を着脱自在に装着し、且つ前記工具側被装着部の導体部分と導通する導体部を有した先部側装着部と、
前記絶縁操作棒の先端部に配置された操作棒側装着部に対して着脱自在に装着され、且つ前記操作棒側装着部の導体部分と導通する導体部を有した基部側被装着部と、
内部回路を介して前記先部側装着部と前記基部側被装着部とを電気的に接続する検電装置と、を備え、
前記検電装置は、
前記先部側装着部を介して電気的に接続された被検電部材と対地アースとの間に形成される浮遊静電容量により前記基部側被装着部に向けて流れる静電誘導電流を検出する電流検出回路と、
前記電流検出回路からの検知信号に基づいて前記被検電部材の充電状態を報知する報知手段と、
を備えたことを特徴とする接続アダプタ。
【請求項２】
絶縁性の操作棒と、
前記先端工具の基部側に配置された工具側被装着部を着脱自在に装着し、且つ前記工具側被装着部の導体部分と導通する導体部を有した先部側装着部と、
前記先部側装着部に電気的に接続された検電装置と、
前記検電装置を介して前記先部側装着部と電気的に接続されたアース側導体と、を備え、
前記検電装置は、
前記先部側装着部を介して電気的に接続された被検電部材と対地アースとの間に形成される浮遊静電容量により前記アース側導体に向けて流れる静電誘導電流を検出する電流検出回路と、
前記電流検出回路からの検知信号に基づいて前記被検電部材の充電状態を報知する報知手段と、
を備えたことを特徴とする絶縁操作棒。
【請求項３】
絶縁操作棒と、前記絶縁操作棒の先端部に着脱自在に装着される先端工具と、の間に挿入される検電装置であって、
前記絶縁操作棒の先端部に配置された操作棒側装着部が挿通される孔部を備えた環状の本体と、
前記本体の外面に配置されて、前記先端工具が前記操作棒側装着部に装着されたときに、前記操作棒側装着部の導体部分又は前記先端工具の工具側被装着部に設けられた導体部分と電気的に接続する被検電側導体と、
内部回路を介して前記被検電側導体と電気的に接続されるアース側導体と、
前記導体部分を介して電気的に接続された被検電部材と対地アースとの間に形成される浮遊静電容量により前記アース側導体に向けて流れる静電誘導電流を検出する電流検出回路と、
前記電流検出回路からの検知信号に基づいて前記被検電部材の充電状態を報知する報知手段と、
を備えたことを特徴とする検電装置。
【請求項４】
前記報知手段は、充電状態を下方に向けて報知するように配置されていることを特徴とする請求項１に記載の接続アダプタ、請求項２に記載の絶縁操作棒、又は請求項３に記載の検電装置。
【発明の詳細な説明】
【技術分野】
【０００１】
本発明は、間接活線作業に使用される検電装置に関し、特に、検電用の回路を内蔵すると共に、先端工具と絶縁操作棒との間に挿入される接続アダプタ、先端工具が着脱自在に装着されると共に検電用の回路を内蔵した絶縁操作棒、及び絶縁操作棒に装着されると共に先端工具によって脱落不能に保持される検電装置に関する。
【背景技術】
【０００２】
７０００Ｖ以下の高圧配電線又は低圧配電線の点検や、各種の配電設備の補修作業を停電させずに行う間接活線作業においては、感電事故、その他の電気事故を防止するため、作業の開始前に、作業対象の配電線が停電（死線）状態であるか充電（活線）状態であるかを確認する検電が実施される。
検電には、特許文献１に示されるような手持ち式の検電装置の他、特許文献２に示された絶縁操作棒の先端部に取り付けて使用する検電装置等が用いられる。
【先行技術文献】
【特許文献】
【０００３】
【特許文献１】特開２００２−１４８２８７公報
【特許文献２】特開２０１２−１３５０８６公報（図３、図５）
【発明の概要】
【発明が解決しようとする課題】
【０００４】
特許文献２に記載の検電装置は間接活線作業用の先端工具の一種であり、検電作業の終了後には、次の作業に使用する他の種類の先端工具と交換する必要がある。
例えば間接活線作業が高圧カットアウトのヒューズの交換や、電路の開放、或いは縁線の切断・接続作業である場合には、作業段階に応じて充電部分が変化するため、必要に応じてその都度、検電を行い、充電箇所と停電箇所の確認をする必要がある。従って、作業段階に応じて使用する先端工具と検電装置とを頻繁に交換する必要があり、作業が非常に煩雑となる。
本発明は上述の事情に鑑みてなされたものであり、間接活線作業の段階に応じて使用する先端工具が変化しても、継続して使用可能な態様の検電装置を提供することを目的とする。
【課題を解決するための手段】
【０００５】
上記の課題を解決するために、請求項１に記載の発明は、絶縁操作棒と、前記絶縁操作棒の先端部に着脱自在に装着される先端工具と、の間に挿入される接続アダプタであって、前記先端工具の基部側に配置された工具側被装着部を着脱自在に装着し、且つ前記工具側被装着部の導体部分と導通する導体部を有した先部側装着部と、前記絶縁操作棒の先端部に配置された操作棒側装着部に対して着脱自在に装着され、且つ前記操作棒側装着部の導体部分と導通する導体部を有した基部側被装着部と、内部回路を介して前記先部側装着部と前記基部側被装着部とを電気的に接続する検電装置と、を備え、前記検電装置は、前記先部側装着部を介して電気的に接続された被検電部材と対地アースとの間に形成される浮遊静電容量により前記基部側被装着部に向けて流れる静電誘導電流を検出する電流検出回路と、前記電流検出回路からの検知信号に基づいて前記被検電部材の充電状態を報知する報知手段と、を備えたことを特徴とする。
【０００６】
請求項２に記載の発明は、絶縁性の操作棒と、前記先端工具の基部側に配置された工具側被装着部を着脱自在に装着し、且つ前記工具側被装着部の導体部分と導通する導体部を有した先部側装着部と、前記先部側装着部に電気的に接続された検電装置と、前記検電装置を介して前記先部側装着部と電気的に接続されたアース側導体と、を備え、前記検電装置は、前記先部側装着部を介して電気的に接続された被検電部材と対地アースとの間に形成される浮遊静電容量により前記アース側導体に向けて流れる静電誘導電流を検出する電流検出回路と、前記電流検出回路からの検知信号に基づいて前記被検電部材の充電状態を報知する報知手段と、を備えたことを特徴とする。
【０００７】
請求項３に記載の発明は、絶縁操作棒と、前記絶縁操作棒の先端部に着脱自在に装着される先端工具と、の間に挿入される検電装置であって、前記絶縁操作棒の先端部に配置された操作棒側装着部が挿通される孔部を備えた環状の本体と、前記本体の外面に配置されて、前記先端工具が前記操作棒側装着部に装着されたときに、前記操作棒側装着部の導体部分又は前記先端工具の工具側被装着部に設けられた導体部分と電気的に接続する被検電側導体と、内部回路を介して前記被検電側導体と電気的に接続されるアース側導体と、前記導体部分を介して電気的に接続された被検電部材と対地アースとの間に形成される浮遊静電容量により前記アース側導体に向けて流れる静電誘導電流を検出する電流検出回路と、前記電流検出回路からの検知信号に基づいて前記被検電部材の充電状態を報知する報知手段と、備えたことを特徴とする。
請求項４に記載の発明は、前記報知手段は、充電状態を下方に向けて報知するように配置されていることを特徴とする。
【発明の効果】
【０００８】
本発明に係る接続アダプタは絶縁操作棒の先端部に取り付けて使用するものであり、接続アダプタに対しては先端工具を着脱自在に装着することができる。また、接続アダプタには電流検出回路が内蔵されているため、作業の段階に応じて先端工具を交換しても、接続アダプタを検電装置として継続して使用可能である。
本発明に係る絶縁操作棒に対しては、先端工具を着脱自在に装着することができる。また、絶縁操作棒には電流検出回路が内蔵されているため、作業の段階に応じて先端工具を交換しても、絶縁操作棒を検電装置として継続して使用可能である。
本発明に係る検電装置は絶縁操作棒と先端工具との間に挿入して使用するものであり、検電装置を装着した状態の絶縁操作棒に対しては、先端工具を着脱自在に装着することができる。従って、作業の段階に応じて先端工具を交換しても、検電装置を継続して使用可能である。
本発明によれば、作業の段階に応じて先端工具を交換する場合であっても、電流検出回路を内蔵した接続アダプタ、絶縁操作棒、及び検電装置は交換することなく継続して使用できるので、先端工具と検電装置とを交換する手間が省け、作業が効率化する。
【図面の簡単な説明】
【０００９】
【図１】本発明の第一の実施形態に係る検電回路を内蔵した接続アダプタを示す図であり、（ａ）は正面図であり、（ｂ）は下面図である。
【図２】検電部の回路配置の一例を示した模式図である。
【図３】検電回路のブロック図である。
【図４】本発明の第二の実施形態に係る検電回路を内蔵した絶縁操作棒を示す正面図である。
【図５】本発明の第三の実施形態に係る検電装置を示す正面図、上面図及び下面図である。
【図６】検電装置の使用状態を説明する正面図であり、（ａ）は検電装置の装着前の状態を示し、（ｂ）は検電装置の装着後の状態を示す図である。
【図７】検電の原理を示す模式図である。
【図８】絶縁操作棒と先端工具の正面図である。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
〔検電の原理〕
図７は、検電の原理を示す模式図である。
検電装置１００は、その先端部に設けられた導体からなる検知子１０１を電路Ｗに接触させたときに、電路Ｗ→電流検出回路１０３→電流検出回路１０３の対地浮遊静電容量Ｃｏ→大地Ｅ、の順で流れる微少な静電誘導電流Ｉｏを検出して動作する。
本発明に係る検電装置は、先端工具の導体部分を検知子として利用して、電路の充電状態、停電状態を検知する点に特徴がある。
【００１２】
〔絶縁操作棒と先端工具〕
本発明の第一の実施形態に係る接続アダプタが装着される絶縁操作棒及び先端工具について説明する。図８は、絶縁操作棒と先端工具の正面図である。なお、同一の構造を有する構成であって該構成が属する部材が異なるものについては同一の番号を付すと共に、異なる大文字アルファベット符号を付して適宜説明を省略する。
【００１３】
絶縁操作棒２００は、絶縁性の操作棒２０１と、操作棒２０１の先端部に配置されて、少なくとも一部に導体部を有する操作棒側装着部２１０Ａと、を備える。先端工具２２０は、先部側に配置された工具本体２２１と、基端部に配置されて、少なくとも一部に導体部を有する工具側被装着部２３０Ａと、を備える。
操作棒２０１は、例えばＦＲＰ等の絶縁体から形成される。
操作棒側装着部２１０Ａと工具側被装着部２３０Ａは、一部分のみが導体であってもよいし、全体が導体であってもよい。本例において操作棒側装着部２１０Ａと工具側被装着部２３０Ａは、何れもその全体がアルミニウム合金等の導体から形成されている。操作棒側装着部２１０Ａは雄型の金具であり、工具側被装着部２３０Ａは雌型の金具であり、操作棒側装着部２１０Ａと工具側被装着部２３０Ａは所謂ツイストロック方式により着脱自在に接続される。
図示する例では工具本体２２１としてバインド打ち器を示しているが、他の種類の工具でも構わない。工具本体２２１は、アルミニウム合金等の導体から形成されていても、樹脂等の絶縁体から構成されていてもよい。
【００１４】
以下、ツイストロック構造について説明する。
操作棒側装着部２１０Ａと工具側被装着部２３０Ａはツイストロック方式により、着脱自在、且つ相対回転不能に接続する。
絶縁操作棒２００の操作棒側装着部２１０Ａは、円柱状の軸部材２１１と、軸部材２１１の側面から外径方向に突設された係止ピン２１３と、軸部材２１１の先端面から自在に出没すると共に、軸部材の内部に設けた不図示のバネによって突出方向に弾性付勢されたプッシュピン２１５とを備えている。
先端工具２２０の工具側被装着部２３０Ａは、基端面が開口し、軸方向他端面が閉止した円筒形状であり、基端開口２３１から操作棒側装着部２１０Ａの軸部材２１１を中空部２３３内に受け入れて保持する。
工具側被装着部２３０Ａの側面には、基端縁から概略Ｔ字形状の切欠部２３５が形成されている。切欠部２３５は、工具側被装着部２３０Ａの内外を連通させる。切欠部２３５は、操作棒側装着部２１０Ａの基端縁から軸方向に伸びる軸方向切欠部２３５ａと、軸方向切欠部２３５ａの最奥部から周方向に伸びる周方向切欠部２３５ｂと、周方向切欠部２３５ｂの最奥部から基端側に向かって軸方向に伸びる係止凹部２３５ｃとを備える。係止凹部２３５ｃには、絶縁操作棒２００の操作棒側装着部２１０Ａの係止ピン２１３が係止される。
【００１５】
絶縁操作棒２００の軸部材２１１を工具側被装着部２３０Ａの中空部２３３内に挿入すると共に、係止ピン２１３を工具側被装着部２３０Ａの基端縁から軸方向切欠部２３５ａ内に挿入する。工具側被装着部２３０Ａに対して絶縁操作棒２００を押し付けてプッシュピン２１５を軸部材２１１内に没入させた状態で絶縁操作棒２００を右方向（又は左方向）に回動させて、係止ピン２１３を周方向切欠部２３５ｂの最奥部まで移動させる。周方向切欠部２３５ｂの最奥部においてはプッシュピン２１５が中空部２３３内の軸方向他端面を押圧して、係止ピン２１３が係止凹部２３５ｃ内に係止される。これにより、工具側被装着部２３０Ａは絶縁操作棒２００の操作棒側装着部２１０Ａに相対回転不能に装着される。
【００１６】
〔第一の実施形態〕
本発明の第一の実施形態に係る検電装置である接続アダプタについて図１に基づいて説明する。図１は、本発明の第一の実施形態に係る検電回路を内蔵した接続アダプタを示す図であり、（ａ）は正面図であり、（ｂ）は下面図である。接続アダプタ１は、図８に示した絶縁操作棒２００と先端工具２２０との間に挿入して使用される。
【００１７】
接続アダプタ１は、先端部に配置されて、少なくとも一部に導体部を有する先部側装着部２１０Ｂと、基端部に配置されて、少なくとも一部に導体部を有する基部側被装着部２３０Ｂと、内部に設けた検電回路２０（図２、図３参照）を介して先部側装着部２１０Ｂと基部側被装着部２３０Ｂとを電気的に接続する検電部１０Ｂと、を備えている。
【００１８】
先部側装着部２１０Ｂは、先端工具２２０に備えられた工具側被装着部２３０Ａを着脱自在に装着する。基部側被装着部２３０Ｂは、絶縁操作棒２００に備えられた操作棒側装着部２１０Ａに対して着脱自在に装着される。先部側装着部２１０Ｂと工具側被装着部２３０Ａ、及び、基部側被装着部２３０Ｂと操作棒側装着部２１０Ａとは、何れも所謂ツイストロック構造により、互いに相対回転不能に着脱自在に装着される。即ち、先部側装着部２１０Ｂは操作棒側装着部２１０Ａと同一構造であり、基部側被装着部２３０Ｂは工具側被装着部２３０Ａと同一構造である。先部側装着部２１０Ｂと基部側被装着部２３０Ｂについての詳細構成は、夫々図８に示した操作棒側装着部２１０Ａと工具側被装着部２３０Ａと同一であるため、その説明を省略する。
【００１９】
本例において先部側装着部２１０Ｂと基部側被装着部２３０Ｂは、何れもその全体がアルミニウム合金等の導体から構成されている。先部側装着部２１０Ｂに工具側被装着部２３０Ａを装着することにより、接続アダプタ１は先端工具２２０と電気的に接続する。同様に、基部側被装着部２３０Ｂに操作棒側装着部２１０Ａを装着することにより、接続アダプタ１は絶縁操作棒２００と電気的に接続する。
なお、先部側装着部２１０Ｂと基部側被装着部２３０Ｂは、一部分のみが導体であってもよい。この場合、先部側装着部２１０Ｂと工具側被装着部２３０Ａの夫々の導体部を電気的に接続し、基部側被装着部２３０Ｂと操作棒側装着部２１０Ａの夫々の導体部を電気的に接続する。
【００２０】
検電部について説明する。
図１（ａ）に示すように、検電部１０Ｂは、先部側装着部２１０Ｂと基部側被装着部２３０Ｂとの間に配置される。検電部１０Ｂは、外径が基部側被装着部２３０Ｂの外周面よりも外径方向に突出する円盤状又はリング状のケース１１と、ケース１１の側面に配置された電池挿入口１３とを備える。ケース１１は絶縁性の樹脂等から形成され、内部に図２、図３に示す検電回路を収容する。
【００２１】
検電回路について、図１〜図３に基づいて説明する。図２は、検電部の回路配置の一例を示した模式図である。図３は、検電回路のブロック図である。なお、図２は、図１に示した接続アダプタのうちの検電部の平面図に相当する。
【００２２】
図２、及び図３に示すように、検電部１０は検電回路２０として、被検電側導体２１を介して電気的に接続された電路（被検電部材）と大地（対地アース）との間に形成される浮遊静電容量によりアース側導体３０に向けて流れる微小な静電誘導電流を検出する電流検出回路２２と、電流検出回路２２からの検知信号に基づいて電路の充電状態を報知する報知手段２５と、電流検出回路２２と報知手段２５を駆動する電源２９と、を備える。
被検電側導体２１は、図７の検知子１０１に相当する導体であり、図１では先部側装着部２１０Ｂに対応する。また、アース側導体３０は、図１では基部側被装着部２３０Ｂに対応する。
【００２３】
電流検出回路２２は、３００Ｖ〜７０００Ｖ程度の高電圧検出用の高圧検出部２３と、８０〜３００Ｖ程度の低電圧検出用の低圧検出部２４とを備える。高圧検出部２３も低圧検出部２４も、先部側装着部２１０Ｂと入力抵抗を介して電気的に接続されている。
報知手段２５は、電流検出回路２２が静電誘導電流を検知した場合に、その旨を外部に報知する手段である。報知手段２５は、音響発振部２６と音響発振部２６に接続されたランプ２７（発光部）及びスピーカ２８（発音部）を備える。
音響発振部２６は、電流検出回路２２が検知した微弱な静電誘導電流を増幅して、ランプ２７とスピーカ２８に出力する。ランプ２７はＬＥＤ等の発光素子を備えており、電路が充電中であることを光により外部に報知する。スピーカ２８は電路が充電中であることを音により外部に報知する。
電源２９は、ボタン電池等から構成される。電源２９の一方端は被検電部材側（電路側）である音響発振部２６に電的に接続され、他方端（大地側）はアース側導体３０に電気的に接続されている。
【００２４】
図１（ｂ）に示すように、ランプ２７とスピーカ２８は、基部側被装着部２３０Ｂの外周面よりも外径方向に突出したケース１１部分の下面に配置されている。ランプ２７とスピーカ２８は電路の充電状態を、絶縁操作棒を操作する作業者のいる下方に向けて報知する。
【００２５】
本実施形態に係る接続アダプタの使用方法は、以下の通りである。まず、図８に示す絶縁操作棒２００に対して図１に示す接続アダプタ１を装着し、接続アダプタ１に対して図８に示す先端工具２２０を装着する。
接続アダプタ１に対して絶縁操作棒２００と先端工具２２０が接続されることにより、検電回路２０は、先部側装着部２１０Ｂを介して工具側被装着部２３０Ａと電気的に接続され、基部側被装着部２３０Ｂを介して操作棒側装着部２１０Ａと電気的に接続される。
図７に示す電路Ｗが充電状態にある場合に、先端工具２２０のうち導体部分を電路Ｗに接触させると、電路Ｗと大地Ｅ（対地アース）との間に形成される対地浮遊静電容量Ｃｏによって大地Ｅに向かって微小な静電誘導電流Ｉｏが流れる。この静電誘導電流を検出して、ランプ２７が発光し、スピーカ２８から発音する。電路Ｗが停電状態にある場合には、ランプ２７は発光せず、スピーカ２８も発音しない。
【００２６】
本実施形態によれば、絶縁操作棒２００と先端工具２２０との間に接続アダプタ１を挿入することによって、検電専用の先端工具を取り付けなくても、作業中に任意のタイミングにて検電が可能となる。また、作業段階に応じて使用する先端工具を取り替えたとしても、接続アダプタ１を交換する必要はないので、接続アダプタ１を装着している限り装着される先端工具の種類によらず引き続き任意のタイミングにて検電が可能となる。
また、接続アダプタ１は、絶縁操作棒２００と先端工具２２０の双方に特別な加工を施すことなく使用できるので、従来使用している間接活線作業用工具をそのまま活用することができる。
なお、接続アダプタに先端工具を接続する構造としては、ツイストロックアダプタ以外にも、菊座アダプタやその他の接続金具を用いることができる。
【００２７】
〔第二の実施形態〕
本発明の第二の実施形態について図４に基づいて説明する。図４は、本発明の第二の実施形態に係る検電回路を内蔵した絶縁操作棒を示す正面図である。本実施形態に係る絶縁操作棒は、図８に示す従来の絶縁操作棒の構成に加えて、更に検電部を備えたものである。以下、主として既に説明した部分と異なる部分について説明し、同一部分についての説明は省略する。
【００２８】
絶縁操作棒２は、最先部に配置された先部側装着部２１０Ｃと、先部側装着部２１０Ｃと電気的に接続された検電回路２０（図２、図３参照）を備える検電部１０Ｃと、検電回路２０を介して先部側装着部と電気的に接続されたアース側導体３０Ｃと、基部側に配置された絶縁性の操作棒２０１と、を備えている。
絶縁操作棒２においては、先部側から基部側に向かって順に、先部側装着部２１０Ｃ、検電部１０Ｃ、アース側導体３０Ｃ及び操作棒２０１が配置されている。
【００２９】
先部側装着部２１０Ｃは、図８に示した絶縁操作棒２の操作棒側装着部２１０Ａと同一の構造であり、少なくとも一部にアルミニウム合金等の導体部を備える。
検電部１０Ｃの回路構造、及び回路配置は夫々図２、図３と同一である。
【００３０】
図２に示した第一の実施形態に係る接続アダプタ１において、検電部１０Ｂに内蔵された検電回路２０は、導体部を有する基部側被接続部２３０Ｂをアース側導体３０Ｃとして使用したが、第二の実施形態に係る絶縁操作棒２において、検電部１０Ｃに内蔵された検電回路２０は、専用に設けたアース側導体３０Ｃと電気的に接続している。本例に示すアース側導体３０Ｃは、検電部１０Ｃの直下に配置された円盤状又はリング状の部材であるがアース側導体３０Ｃは、操作棒２０１の内部に配置してもよい。アース側導体３０Ｃは、検電回路２０を介して先部側装着部２１０Ｃの導体部（被検電部材側導体）と電気的に接続している。
【００３１】
検電部１０Ｃのケース１１はアース側導体３０Ｃと操作棒２０１のいずれの外周面よりも外径方向に突出した部分を有する円盤状又はリング状である。ランプ２７とスピーカ２８は、第一の実施形態（図１（ｂ）参照）と同様に作業者側である下方を向くようにケース１１の最外周部分に配置されている。また、ケース１１の側面には、電源となるボタン電池等を挿入する電池挿入口１３が形成されている。
【００３２】
本実施形態に係る絶縁操作棒２を使用することによって、検電専用の先端工具を取り付けなくても、作業中に任意のタイミングにて検電が可能となる。また、作業段階に応じて使用する先端工具を取り替えたとしても、絶縁操作棒２は継続して使用されるものであるため、装着される先端工具の種類によらず引き続き任意のタイミングにて検電が可能となる。
なお、絶縁操作棒に先端工具を接続する構造としては、ツイストロックアダプタ以外にも、菊座アダプタやその他の接続金具を用いることができる。
【００３３】
〔第三の実施形態〕
本発明の第三の実施形態について図５、図６に基づいて説明する。図５は、本発明の第三の実施形態に係る検電装置を示す正面図、上面図及び下面図である。図６は、検電装置の使用状態を説明する正面図であり、（ａ）は検電装置の装着前の状態を示し、（ｂ）は検電装置の装着後の状態を示す図である。
本実施形態に係る検電装置３は、図６に示すように、従来の絶縁操作棒２００の操作棒側装着部２１０Ａの外周部に嵌合させた後、操作棒側装着部２１０Ａに先端工具２２０の工具側被装着部２３０Ａを接続することによって、絶縁操作棒２００と先端工具２２０との間に保持して使用されるものである。
【００３４】
検電装置３は、絶縁操作棒２００の操作棒側装着部２１０Ａが挿通される孔部４２を備えた環状のケース４１と、ケース４１の上面４５に配置されて、操作棒側装着部２１０Ａに装着された先端工具２２０の工具側被装着部２３０Ａと電気的に接続する被検電側導体２１Ｄと、ケース４１の内部に収容された検電回路２０（図２、図３参照）と、被検電側導体２１Ｄと検電回路２０を介して電気的に接続されるアース側導体３０（図３参照）と、を備えている。
【００３５】
ケース４１は絶縁体から形成されており、孔部４２は絶縁操作棒２００の軸部材２１１の外径と略同等の内径を有する。孔部４２の内周面には軸方向に沿って伸びる凹所４３、４３を有する。凹所４３、４３は、孔部４２内に操作棒側装着部２１０Ａを挿通する際に、絶縁操作棒２００の係止ピン２１３、２１３を通過させる部位である。
ケース４１は、絶縁操作棒２００の最外周面よりも外径側に突出する大きさに形成されており、ランプ２７及びスピーカ２８は、ケース４１の下面４６の最外周部に配置されている。ケース４１の外側面には、電源となるボタン電池等を挿入する電池挿入口４４が形成されている。
【００３６】
ケース４１の内部には、図３に示す検電回路２０が収容されている。検電回路２０の構成は、第一及び第二の実施形態と同様である。検電装置３内部の検電回路２０の配置は図２に準ずるため、その説明を省略する。
【００３７】
被検電側導体２１Ｄは、アルミニウム合金等の導体から形成される。被検電側導体２１Ｄはケース４１の外面に配置される。例えば、被検電側導体２１Ｄは、ケース上面の少なくとも一部に配置されていればよい。被検電側導体２１Ｄは、工具側被装着部２３０Ａとの電気的な接続を確保する為、コイルバネ等の弾性付勢部材４７により工具側被装着部２３０Ａに向けて（図中矢印Ｂ方向に）弾性付勢されていることが望ましい。
なお、被検電側導体２１Ｄは、孔部４２の内周面に配置されてもよい。この場合、被検電側導体２１Ｄは操作棒側装着部２１０Ａと直接に接触し、工具側被装着部２３０Ａとは操作棒側装着部２１０Ａを介して電気的に接続する構成となる。
【００３８】
図３に示すアース側導体３０は、被検電側導体２１Ｄと工具側被装着部２３０Ａ、又は操作棒側装着部２１０Ａとは接触しない位置に配置されており、被検電側導体２１Ｄとの間で電位差を形成する。アース側導体３０は、例えばケース４１の一部を下方に延長した延長部４８内に収容される。
【００３９】
検電装置３は、図６に示すように、操作棒側装着部２１０Ａに装着して使用される。即ち、検電装置３の孔部４２内には、操作棒側装着部２１０Ａの軸部材２１１が挿入される。更に、図６（ｂ）に示すように検電装置３を挿通した後の操作棒側装着部２１０Ａには、先端工具２２０が装着される。検電装置３は、絶縁操作棒２００と先端工具２２０との間に挟持されることによって脱落不能に保持される。
このとき、被検電側導体２１Ｄは、工具側被装着部２３０Ａの下端縁と接触して導通する。また、延長部４８はロックナット２０２や操作棒２０１等、操作棒側装着部２１０Ａ以外の絶縁操作棒２００の適所に接触状態で添設される。
【００４０】
本実施形態によれば、検電装置３を装着した絶縁操作棒２００の操作棒側装着部２１０Ａに先端工具２２０を装着することによって、絶縁操作棒２００と先端工具２２０とによって検電装置３を脱落不能に保持する。本実施形態によっても、検電専用の先端工具を取り付けなくても、作業中に任意のタイミングにて検電が可能となる。また、作業段階に応じて、使用する先端工具を取り替えたとしても、検電装置３を交換する必要はないので、検電装置３を装着している限り装着される先端工具の種類によらず引き続き任意のタイミングにて検電が可能となる。
また、検電装置３は、絶縁操作棒２００と先端工具２２０の双方に特別な加工を施すことなく使用できるので、従来使用している間接活線作業用工具をそのまま活用することができる。
【００４１】
〔本発明の実施態様と作用、効果のまとめ〕
＜第一の実施態様＞
本態様に係る接続アダプタ１は、絶縁操作棒２００と、絶縁操作棒の先端部に着脱自在に装着される先端工具２２０と、の間に挿入される。接続アダプタ１は、先端工具の基部側に配置された工具側被装着部２３０Ａを着脱自在に装着し、且つ工具側被装着部の導体部分と導通する導体部を有した先部側装着部２１０Ｂと、絶縁操作棒の先端部に配置された操作棒側装着部２１０Ａに対して着脱自在に装着され、且つ操作棒側装着部の導体部分と導通する導体部を有した基部側被装着部２３０Ｂと、内部回路を介して先部側装着部と基部側装着部とを電気的に接続する検電装置（検電部１０Ｂ）と、を備えている。接続アダプタ１を構成する検電装置は、先部側装着部を介して電気的に接続された被検電部材（電路Ｗ）と対地アースとの間に形成される浮遊静電容量により基部側装着部に向けて流れる静電誘導電流を検出する電流検出回路２２と、電流検出回路からの検知信号に基づいて被検電部材の充電状態を報知する報知手段２５と、を備えたことを特徴とする。
【００４２】
本態様に係る接続アダプタは絶縁操作棒の先端部に取り付けて使用するものであり、接続アダプタに対しては先端工具を着脱自在に装着することができる。また、接続アダプタには電流検出回路が内蔵されているため、作業の段階に応じて先端工具を交換しても、接続アダプタを絶縁操作棒から取り外す必要はない。従って、接続アダプタを検電装置として継続して使用可能である。本態様によれば、先端工具と検電装置とを交換する手間が省け、作業が効率化する。
【００４３】
＜第二の実施態様＞
本態様に係る絶縁操作棒２は、絶縁性の操作棒２０１と、先端工具２２０の基部側に配置された工具側被装着部２３０Ａを着脱自在に装着し、且つ工具側被装着部の導体部分と導通する導体部を有した先部側装着部２１０Ｃと、先部側装着部に電気的に接続された検電装置（検電部１０Ｃ）と、検電装置を介して先部側装着部と電気的に接続されたアース側導体３０Ｃと、を備える。絶縁操作棒を構成する検電装置は、先部側装着部を介して電気的に接続された被検電部材（電路Ｗ）と対地アースとの間に形成される浮遊静電容量によりアース側導体に向けて流れる静電誘導電流を検出する電流検出回路２２と、電流検出回路からの検知信号に基づいて被検電部材の充電状態を報知する報知手段２５と、を備えたことを特徴とする。
本態様に係る絶縁操作棒に対しては、先端工具を着脱自在に装着することができる。また、作業の段階に応じて先端工具を交換しても、絶縁操作棒自体はそのまま使い続けられる。従って、作業の段階に応じて先端工具を交換しても、電流検出回路が内蔵された絶縁操作棒を検電装置として継続して使用可能である。本態様によれば、先端工具と検電装置とを交換する手間が省け、作業が効率化する。
【００４４】
＜第三の実施態様＞
本態様に係る検電装置３は、絶縁操作棒２００と、絶縁操作棒の先端部に着脱自在に装着される先端工具２２０と、の間に挿入して使用される。検電装置３は、絶縁操作棒の先端部に配置された操作棒側装着部２１０Ａが挿通される孔部４２を備えた環状の本体（ケース４１）と、本体の外面（上面又は外周面）に配置されて、先端工具が操作棒側装着部に装着されたときに、操作棒側装着部の導体部分又は先端工具の工具側被装着部２３０Ａに設けられた導体部分と電気的に接続する被検電側導体２１０Ｄと、内部回路を介して被検電側導体と電気的に接続されるアース側導体３０と、導体部分を介して電気的に接続された被検電部材（電路Ｗ）と対地アースとの間に形成される浮遊静電容量によりアース側導体に向けて流れる静電誘導電流を検出する電流検出回路２２と、電流検出回路からの検知信号に基づいて被検電部材の充電状態を報知する報知手段２５と、を備えたことを特徴とする。
本発明に係る検電装置は絶縁操作棒と先端工具との間に挿入して使用するものであり、検電装置を装着した状態の絶縁操作棒に対しては、先端工具を着脱自在に装着することができる。従って、作業の段階に応じて先端工具を交換しても、検電装置を継続して使用可能である。本態様によれば、先端工具と検電装置とを交換する手間が省け、作業が効率化する。
【００４５】
＜第四の実施態様＞
本態様に係る接続アダプタ１、絶縁操作棒２、又は検電装置３に備えられた報知手段２５は、充電状態を下方に向けて報知するように配置されていることを特徴とする。
絶縁操作棒を操作する作業者は、検電装置（検電部１０Ｂ、１０Ｃ、検電装置３）よりも下方にいるため、報知手段が充電状態を下方に向けて放置することにより、作業者は、充電状態を把握しやすくなる。  
【符号の説明】
【００４６】
１…接続アダプタ、２…絶縁操作棒、３…検電装置、１０…検電部、１１…ケース、１３…電池挿入口、２０…検電回路、２１…被検電側導体、２２…電流検出回路、２３…高圧検出部、２４…低圧検出部、２５…報知手段、２６…音響発振部、２７…ランプ、２８…スピーカ、２９…電源、３０…アース側導体、４１…ケース、４２…孔部、４３…凹所、４４…電池挿入口、４５…上面、４６…下面、４７…弾性付勢部材、４８…延長部、１００…検電装置、１０１…検知子、１０３…電流検出回路、２００…絶縁操作棒、２０１…操作棒、２０２…ロックナット、２１０…装着部、２１１…軸部材、２１３…係止ピン、２１５…プッシュピン、２２０…先端工具、２２１…工具本体、２３０…被装着部、２３１…基端開口、２３３…中空部、２３５…切欠部。
【図１】
2018074708.tif 000003
【図２】
2018074708.tif 000004
【図３】
2018074708.tif 000005
【図４】
2018074708.tif 000006
【図５】
2018074708.tif 000007
【図６】
2018074708.tif 000008
【図７】
2018074708.tif 000009
【図８】
2018074708.tif 000010